(57)【特許請求の範囲】
【請求項１】
複数の棚板が設けられた陳列棚であって、
前記陳列棚に着脱自在に取り付けられ、前記棚板を保持する固定部材と、
頂面の少なくとも一部が開放されており、前記棚板よりも背面側に前記固定部材によって保持される収納部材と、を備え、
当該収納部材は、前記頂面の反対側に底面を有し、前記収納部材の内部にコード類を収納可能なことを特徴とする陳列棚。
【請求項２】
前記収納部材の頂面は、少なくとも１以上の貫通孔を更に有し、着脱自在である、
請求項１に記載の陳列棚。
【請求項３】
前記収納部材は、前記頂面以外の少なくとも一面に開口部を更に有する、
請求項１又は２に記載の陳列棚。
【請求項４】
前記収納部材は、前記固定部材の頂面と少なくとも一部が当接することによって保持される、
請求項１〜３のいずれか１項に記載の陳列棚。
【請求項５】
前記固定部材は、前記棚板と係合する係合凹部を更に有し、
前記棚板は、前記固定部材と係合する係合凸部を更に有し、該固定部材と係合する際に、該棚板の背面側が前記収納部材の側面に当接することにより該収納部材を位置決めする、
請求項１〜４のいずれか１項に記載の陳列棚。
【請求項６】
前記収納部材の頂面の少なくとも一部は、前記棚板の少なくとも一部を覆う、
請求項１〜５のいずれか１項に記載の陳列棚。
【発明の詳細な説明】
【技術分野】
【０００１】
本発明は、陳列棚に関する。
【背景技術】
【０００２】
従来、棚板の前面側が開放され、商品の陳列や取り出しが容易な様々な種類の陳列棚が知られている。このような陳列棚は様々な種類が知られているが、いずれの陳列棚も陳列棚自体に変化が乏しいというものであった。例えば、特許文献１には、棚板に跨る長さの上下方向に向く仕切りを設けることにより、陳列棚に変化を与え、陳列する商品を際だたせたり、商品の選別等を容易に行いうるようにしたりする陳列棚が記載されている。
【０００３】
ところで、近年の小型軽量化された家電製品の増加に伴い、陳列棚に家電製品を陳列する機会が増大している。このとき、家電製品は電力を供給しなければ作動しないため、家電製品を十分に買い物客にアピールするためには電力を供給する必要がある。また、小型軽量化された家電製品は高価であり、従来以上に防犯面に留意する必要性が高まっている。このため、電源コードで電力を供給したり、ワイヤ等を用いて防犯に努めたりすることが行われている。
【先行技術文献】
【特許文献】
【０００４】
【特許文献１】特開２００３−２２３９０８号公報
【発明の概要】
【発明が解決しようとする課題】
【０００５】
しかしながら、従来の陳列棚に陳列された家電製品に電源コードで電力を供給したり、ワイヤ等を用いて防犯に努めたりすると、電源コードや防犯ワイヤが棚板の上に露出するため、美観を損ね、買い物客に対して煩雑な印象を与えてしまう可能性があるという課題があった。
【０００６】
本発明は、このような課題に鑑みなされたものであり、高価な家電製品を陳列する場合であっても、美観を保ちながらも、買い物客に対して煩雑な印象を与えてしまう可能性を減少させることができる陳列棚を提供することを主目的とする。
【課題を解決するための手段】
【０００７】
本発明は、上述の目的を達成するために以下の手段を採った。
【０００８】
本発明の陳列棚は、複数の棚板が設けられた陳列棚であって、前記陳列棚に着脱自在に取り付けられ、前記棚板を保持する固定部材と、頂面の少なくとも一部が開放されており、前記棚板よりも背面側に前記固定部材によって保持される収納部材と、を備えた、陳列棚である。
【０００９】
この陳列棚は、棚板の背面側に頂面の少なくとも一部が開放された収納部材を設けているため、棚板に電力の供給が必要な物を陳列する場合であっても、電源コードを収納部材に収納することができる。このため、美観に優れ、陳列棚を見る者に対して煩雑な印象を与えてしまう可能性を未然に減少させることができる。また、棚板に高価な物を陳列する場合であっても、防犯ワイヤを収納部材に収納することができるため、美観に優れ、陳列棚を見る者に対して煩雑な印象を与えてしまう可能性を未然に減少させることができる。なお、ここで、正面側とは陳列棚が開放されている方向（例えば、通路側等）を意味し、正面側と反対側（例えば、壁面側や柱面側）を背面側という。
【００１０】
本発明の陳列棚において、前記収納部材の頂面は、少なくとも１以上の貫通孔を更に有し、着脱自在であってもよい。こうすれば、棚板に陳列し、コード類（例えば、電源コードや防犯ワイヤ）を収納部材に収納した後に、頂面を閉じることができる。こうすることにより、美観に優れ、陳列棚を見る者に対して煩雑な印象を与えてしまう可能性を未然に減少させながらも、コード類を収納する際の労力を低減させることができる。
【００１１】
本発明の陳列棚において、前記収納部材は、前記固定部材の頂面と少なくとも一部が当接することによって保持されてもよい。こうすれば、頂面の貫通穴を経て収納されたコード類の他端側を開口部から陳列棚の外部に導くことができるため、収納部材に収納しきれないコード類を陳列棚の外部（例えば、背面側等）に導くことができるため、コード類の長さ等に影響されることなく、美観に優れ、陳列棚を見る者に対して煩雑な印象を与えてしまう可能性を未然に減少させることができる。また、コンセント等から延長コード等を用いて収納箱の内部に電源を導入することもできる。
【００１２】
本発明の陳列棚において、前記収納部材は、前記固定部材の頂面と当接する当接部を更に有していてもよい。こうすれば、収納部材を上方から固定部材に当接させるという簡単な操作で、収納部材を陳列棚に取り付けられるため、美観に優れ、陳列棚を見る者に対して煩雑な印象を与えてしまう可能性を未然に減少させながらも、陳列する際の労力を低減させることができる。
【００１３】
本発明の陳列棚において、前記固定部材は、前記棚板と係合する係合凹部を更に有し、前記棚板は、前記固定部材と係合する係合凸部を更に有し、該固定部材と係合する際に、該棚板の背面側が前記収納部材の側面に当接することにより該収納部材を位置決めしてもよい。こうすれば、棚板を固定部材に係合させるという簡単な手順で収納部材の位置を陳列棚の背面側に固定することができるため、美観に優れ、陳列棚を見る者に対して煩雑な印象を与えてしまう可能性を未然に減少させながらも、外部要因によって収納部材が移動してしまう可能性を未然に減少させることができる。
【００１４】
本発明の陳列棚において、前記収納部材の頂面の少なくとも一部は、前記棚板の少なくとも一部を覆っていてもよい。こうすれば、棚板と収納部材との間の継ぎ目を頂面で覆うことができるため、継ぎ目が覆われていない場合と比較して、より美観に優れ、陳列棚を見る者に対して煩雑な印象を与えてしまう可能性を未然に減少させることができる。
【図面の簡単な説明】
【００１５】
【図１】図１は、陳列棚２０の構成の概略を示す斜視図である。
【図２】図２は、収納箱４０の一部を拡大した斜視図である。
【図３】図３は、陳列棚２０の一部を拡大した部分説明図である。
【図４】図４は、陳列棚２０の他の実施の形態を説明するための説明図である。
【発明を実施するための形態】
【００１６】
ここで、上記簡単に説明した図面に基づいて、本発明を実施するための形態を説明するにあたり、本実施の形態の構成要素と本発明の構成要素との対応関係を明らかにする。本実施の形態の陳列棚２０が本発明の陳列棚に相当し、取付金具８０が固定部材に相当し、棚板７０が棚板に相当し、収納箱４０が収納部材に相当し、挿入孔６２が貫通孔に相当し、開放口５２が開口部に相当し、係合凹部８４が係合凹部に相当し、係合凸部７２が係合凸部に相当する。
【００１７】
次に、図１を用いて本発明の陳列棚２０の構成を詳しく説明する。ここで、図１は本発明を実施するための形態の１つである陳列棚２０の構成の概略を示す斜視図である。この陳列棚２０は金属製であり、本体部３０と、例えばコード類を収納する収納箱４０と、収納箱４０の前面側に配置される複数の棚板７０と、収納箱４０及び棚板７０を保持する取付金具８０と、を備えている。
【００１８】
本体部３０は金属製であり、図１に示すように、略矩形形状の基部３２と、基部３２の背面側であって左右両端側に基部３２に対して略垂直に設けられた支持柱３４と、を有している。基部３２には、外側と内側に２列、略等間隔に複数の取付孔３６を有している。上下方向に連続する３つの取付孔３６に取付金具８０の取付凸部８２を係合することにより、収納箱４０及び棚板７０を本体部３０に取り付けることができる（図３参照）。
【００１９】
収納箱４０は金属製であり、図２に示すように、コード類等を収納可能な収納部５０と、収納部５０の頂面を覆う蓋部６０と、を有している。収納部５０は、頂面側が開放された略直方体形状であり、下部に開放口５２を有し、両側面に略Ｌ字形状のフック部５４を有している。フック部５４は、取付金具８０の上部に上方向から当接することにより、位置決めされる（図３参照）。なお、図２は、収納箱４０の一部を拡大した斜視図である。
【００２０】
ここで、フック部５４の形状について、更に詳しく説明する。フック部５４は、図２に示すように、蓋部６０と略平行な面と蓋部６０と略垂直な面の２面が略Ｌ字形状に連接した部材である。取付金具８０に収納箱４０が取り付けられる際には、蓋部６０と略平行な面が取付金具８０の頂面上に当接し、収納箱４０を保持することになる。このとき、フック部５４は、取付金具８０に備えられた係合凹部８４の凹部よりも大きな面積を有しているため、取付金具８０の頂面上を滑らせて係合凹部８４の位置又は大きさに関わらず、所望の位置に位置決めすることができる。
【００２１】
蓋部６０は、図２に示すように、背面側に背面と上面とを介するように開けられた複数の挿入孔６２を有し、更に、蓋部６０は開閉孔６４を有している。この蓋部６０は、収納部５０の頂面を覆う位置に取り付けられるため、収納部５０の内部に収納された収納物が外部から見えないようにすることができる。このとき、蓋部６０は複数の挿入孔６２を有しているため、例えば、陳列棚に家電製品が並べられた場合には、電源ケーブルを挿入孔６２を通すことで、陳列棚の上部に置かれる電源ケーブルの長さを減少させることができる。また、例えば、デジタルカメラのような小型で軽量、かつ、高価な商品を陳列棚に陳列する場合には、防犯ワイヤを挿入孔６２に通すことで、陳列棚の上部に防犯ワイヤが露出する長さを減少させることができる。いずれの場合であっても、電源ケーブルやワイヤ等のケーブル類の一部を挿入孔６２を通して収納部５０の内部に収納することで、ケーブル類によって煩雑な印象を与えてしまう可能性を未然に減少させることができる。更に、蓋部６０には、開閉孔６４を有しているため、蓋部６０を開閉する際には、開閉孔６４に指等を挿入して開閉することにより、蓋部６０を簡単に開閉することができる。言い換えると、ケーブル類を収納又は取り出す際の労力を低減することができる。
【００２２】
棚板７０は、図１に示すように、略矩形形状の金属製の板である。この棚板７０の側部には、図３に示すように、略Ｌ字形状の係合凸部７２を有している。また、棚板７０は、取付金具８０の係合凹部８４と係合凸部７２とが係合することにより、取付金具８０に固定される。更に、棚板７０は背面側で収納箱４０と当接しているため、取付金具８０に棚板７０を固定することにより、収納箱４０の位置を位置決めすることができる。こうすることにより、外部から力が加わった場合であっても、収納箱４０が動いてしまう可能性を未然に減少させることができる。
【００２３】
取付金具８０は、図３に示すように、取付孔３６にそれぞれ係合する３つの取付凸部８２と、係合凸部７２とそれぞれ係合可能な４つの係合凹部８４と、を有し、収納箱４０及び棚板７０の側面側に位置する金属製の部材である。取付凸部８２は、取付金具８０の背面側に一列に設けられている。このとき、取付凸部８２はそれぞれ連続する３つの取付孔３６と係合しているため、１つ又は２つの取付孔３６と係合する場合と比較して、より強固に棚板４０を支持することができる。言い換えると、１つ又は２つの取付孔３６と係合する場合と比較して、棚板７０により重量のある物を陳列することができる。なお、図３は、支持柱３４に取付金具８０が取り付けられている様子を説明するために、陳列棚２０の一部を拡大した部分説明図であり、下方に描かれた棚板７０は、棚板７０と取付金具８０との関係をより明確に説明するために、棚板７０の一部を切り取ったものである。
【００２４】
係合凹部８４は、図３に示すように、取付金具８０の頂面側に一列に設けられている。このため、係合凸部７２と係合する係合凹部８４を選択することにより、棚板７０を所望の位置に位置決めすることができる。言い換えると、棚板７０の背面側に設けられた空間の大きさを所望の大きさに変更することができるため、収納物の大きさに合わせて収納箱４０の大きさを適宜選択することができる。また、最も背面側に設けられた係合凹部８４は、棚板７０が本体部３０の最背面側に位置決めする位置に設けられているため、収納箱４０が必要ない場合には、収納箱４０を設けない状態でも使用することができる。こうすることにより、既存の陳列棚の部材を一部に利用することができるため、全ての部材を新たに設計する場合と比較して、省資源に資することができる。
【００２５】
以上詳述した本実施の形態の陳列棚２０によれば、棚板７０の背面側に収納箱４０が備えられているため、例えば、デジタルカメラ等の電力の供給が必要であり、効果な商品を棚板７０に陳列する場合であっても、電源コードや防犯ワイヤ等の少なくとも一部を収納箱４０に収納することができる。したがって、美観を損ね、煩雑な印象を与えてしまう可能性を未然に低減することができる。
【００２６】
また、蓋部６０は、複数の挿入孔６２を有する着脱自在な部材であるため、挿入孔６２の位置にケーブル類を位置決めして蓋部６０を収納部５０上面に設置することができる。したがって、よりケーブル類を容易に収納部５０に収納することができるため、棚板７０の上面のケーブル類によって美観が損なわれ、煩雑な印象を与えてしまう可能性を未然に低減することができる。
【００２７】
更に、収納部５０は下部に開放口５２を有しているため、収納箱４０の内部のコード類を下部から導出したり、例えば、延長コード等を用いて、収納部４０の内部に電源を導入したりすることができる。したがって、棚板７０に電力の供給が必要な商品を陳列する場合であっても、収納部４０の内部に背面側から電力を供給することにより、棚板７０の上面のケーブル類によって美観が損なわれ、煩雑な印象を与えてしまう可能性を未然に低減することができる。
【００２８】
更にまた、収納箱４０は、取付金具８０の頂面と当接するフック部５４を有しているため、フック部５４を取付金具８０の頂面に当接させるという簡単な操作により、収納箱を取付金具８０に取り付けることができる。こうすることにより、簡単な操作で棚板７０の上面のケーブル類によって美観が損なわれ、煩雑な印象を与えてしまう可能性を未然に低減することができる。
【００２９】
そしてまた、取付金具８０は、棚板７０に備えられた取付凸部７２と係合する取付凹部８４を有し、取付凸部８４と取付凹部７２とが係合する際に、棚板７０の平面側に収納箱４０の側面が当接するため、棚板７０を取付金具８０に係合することにより、同時に収納箱４０の位置を位置決めすることができる。こうすることにより、簡単な操作で棚板７０の上面のケーブル類によって美観が損なわれ、煩雑な印象を与えてしまう可能性を未然に低減することができる。
【００３０】
なお、本発明は上述した実施形態に何ら限定されることはなく、本発明の技術的範囲に属する限り種々の態様で実施し得ることはいうまでもない。
【００３１】
例えば、上述した実施の形態では、蓋部６０は、収納箱４０の頂面を覆うものとしたが、図４（Ａ）に示すように、収納箱４０の頂面に加えて、棚板７０の表面の一部を覆うものとしてもよい。こうすれば、収納箱４０と棚板７０との境界線を覆うことができるため、上述した実施の形態と同様の効果を得ながらも、より美観を向上させることができる。なお、ここで図４は、陳列棚２０の他の実施の形態を説明するための説明図である。
【００３２】
上述した実施の形態では、収納箱４０の下部に開放口５２を有しているものとしてが、図４（Ｂ）に示すように、側面を開放し、取付金具８０との間に空隙を有するようにしても良い。このような場合には、取付金具８０と収納箱４０の側面との間の空隙が開放口５２と同様の機能を果たすため、上述した実施の形態と同様の効果が得られる。
【００３３】
上述した実施の形態では、背面側に複数の挿入孔６２を有するものとしたが、挿入孔６２の位置は背面側に限定されるものではなく、正面側や蓋部６０の中央部にあっても良いし、必ずしも一直線上に並んでいなくても良い。いずれの場合であっても、上述した実施の形態と同様の効果が得られる。
【産業上の利用可能性】
【００３４】
上述した実施の形態で示すように、商品等の陳列、特に、電力の供給が必要な商品や防犯の必要性が高い商品等を陳列する陳列棚として利用することができる。
【符号の説明】
【００３５】
２０  陳列棚、３０  本体部、３２  基部、３４  支持柱、３６  取付孔、４０  収納箱、５０  収納部、５２  開放口、５４  フック部、６０  蓋部、６２  挿入孔、６４  開閉孔、７０  棚板、７２  係合凸部、８０  取付金具、８２  取付凸部、８４  係合凹部。
【図１】
0005503233.tif 000002
【図２】
0005503233.tif 000003
【図３】
0005503233.tif 000004
【図４】
0005503233.tif 000005